(57)【要約】【課題】ブラウザ上に表示された画面への情報入力することにより、１以上の並列ページから目的のページを探し出すページ等の作成に必要な情報の提供が可能なホームページ作成システムを提供する。【解決手段】ホームページ作成システムは、ブラウザ画面を表示する提供者側表示部と、ブラウザ画面を介して入力された情報をネットワークを介して送信する提供者側制御部とを有する提供者側クライアントを備える。ネットワークを介して情報を受信し、情報に基づいて、物件の情報を有する物件詳細情報ページを１以上と、１以上の物件詳細情報ページのうちの１つにアクセスするための検索条件を入力するための物件検索トップページと、物件検索トップページを介して入力された検索条件に基づいて絞り込まれた物件詳細情報ページに対応する物件を表示する絞り込み該当物件リストページとを作成する制御部を有するサーバーを備える。【選択図】図３
2008165313.tif 000002
【特許請求の範囲】
【請求項１】
ブラウザ画面を表示する提供者側表示部と、前記ブラウザ画面を介して入力された情報をネットワークを介して送信する提供者側制御部とを有する提供者側クライアントと、
前記ネットワークを介して前記情報を受信し、前記情報に基づいて、物件の情報を有する物件詳細情報ページを１以上と、前記１以上の物件詳細情報ページのうちの１つにアクセスするための検索条件を入力するための物件検索トップページと、前記物件検索トップページを介して入力された検索条件に基づいて絞り込まれた物件詳細情報ページに対応する物件を表示する絞り込み該当物件リストページとを作成する制御部と、前記１以上の物件詳細情報ページと前記物件検索トップページと前記絞り込み該当物件リストページをホームページとして公開出来る状態で記録する記録部とを有するサーバーとを備え、
前記ブラウザ画面は、前記情報のうちで前記１以上の物件詳細情報ページを作成するための物件作成情報を入力するための物件詳細ページ編集用ページ、前記情報のうちで前記物件検索トップページを作成するための検索作成情報を入力するための物件検索トップページ編集用ページ、前記情報のうちで前記絞り込み該当物件リストページを作成するためのリスト作成情報を入力するための絞り込み該当物件リスト編集用ページ、前記１以上の物件詳細情報ページ、前記物件検索トップページ、及び前記絞り込み該当物件リストページを有することを特徴とするホームページ作成システム。
【請求項２】
前記ブラウザ画面は、前記物件検索トップページにおいて検索する方法を設定する検索機能設定用ページを有することを特徴とする請求項１に記載のホームページ作成システム。
【請求項３】
前記１以上の物件詳細情報ページ、前記物件検索トップページ、及び前記絞り込み該当物件リストページをブラウザ画面として表示可能な閲覧者用表示部を有する閲覧者用クライアントを更に備え、
前記制御部は、前記閲覧者用クライアントの前記１以上の物件詳細情報ページのそれぞれへのアクセスに関するアクセス情報を取得し、前記アクセス情報に基づいて、前記ブラウザ画面として、前記アクセスに関するアクセス分析ページを作成することを特徴とする請求項１に記載のホームページ作成システム。
【請求項４】
前記物件詳細ページ編集用ページ、前記物件検索トップページ編集用ページ、前記絞り込み該当物件リスト編集用ページ、及び前記アクセス分析ページは、前記提供者側表示部で表示可能で、前記閲覧者側表示部で表示不可能となるようにアクセス条件が設定されることを特徴とする請求項３に記載のホームページ作成システム。
【請求項５】
前記アクセス情報は、前記物件詳細情報ページごとのアクセス件数、アクセス日時、前記アクセスする前記閲覧者側クライアントのドメイン、前記アクセスする前のページのうち、少なくとも１つであることを特徴とする請求項３の記載のホームページ作成システム。
【請求項６】
ブラウザ画面を介して入力された情報をネットワークを介して送信する提供者側クライアントから、前記ネットワークを介して前記情報を受信し、前記情報に基づいて、物件の情報を有する物件詳細情報ページを１以上と、前記１以上の物件詳細情報ページのうちの１つにアクセスするための検索条件を入力するための物件検索トップページと、前記物件検索トップページを介して入力された検索条件に基づいて絞り込まれた物件詳細情報ページに対応する物件を表示する絞り込み該当物件リストページとを作成する制御部と、
前記１以上の物件詳細情報ページと前記物件検索トップページと前記絞り込み該当物件リストページをホームページとして公開出来る状態で記録する記録部とを備え、
前記ブラウザ画面は、前記情報のうちで前記１以上の物件詳細情報ページを作成するための物件作成情報を入力するための物件詳細ページ編集用ページ、前記情報のうちで前記物件検索トップページを作成するための検索作成情報を入力するための物件検索トップページ編集用ページ、前記情報のうちで前記絞り込み該当物件リストページを作成するためのリスト作成情報を入力するための絞り込み該当物件リスト編集用ページ、前記１以上の物件詳細情報ページ、前記物件検索トップページ、及び前記絞り込み該当物件リストページを有することを特徴とするホームページ作成システムのサーバー。
【請求項７】
ブラウザ画面を表示する提供者側表示部と、前記ブラウザ画面を介して入力された情報をネットワークを介して送信する提供者側制御部とを有する提供者側クライアントと、
前記ネットワークを介して前記情報を受信し、前記情報に基づいて、物件の情報を有する物件詳細情報ページを１以上作成する制御部と、前記１以上の物件詳細情報ページをホームページとして公開出来る状態で記録する記録部とを有するサーバーと、
前記１以上の物件詳細情報ページをブラウザ画面として表示可能な閲覧者用表示部を有する閲覧者用クライアントとを備え、
前記制御部は、前記閲覧者用クライアントの前記１以上の物件詳細情報ページのそれぞれへのアクセスに関するアクセス情報を取得し、前記アクセス情報に基づいて、前記ブラウザ画面として、前記アクセスに関するアクセス分析ページを作成することを特徴とするホームページ作成システム。
【発明の詳細な説明】
【技術分野】
【０００１】
本発明は、ホームページ作成システムに関し、特に１以上の並列ページから目的のページを探し出す検索ページを作成するホームページ作成システムに関する。
【背景技術】
【０００２】
従来、ホームページを提供する提供者側クライアントからの入力に基づいてホームページを作成するホームページ作成システムが提案されている。
【０００３】
特許文献１は、ブラウザ上に表示された入力フォームを使って入力した情報に基づいて、ホームページを作成するホームページ作成システムを開示する。
【特許文献１】特開２００２−１８３０３７号公報
【発明の開示】
【発明が解決しようとする課題】
【０００４】
しかし、ホームページで紹介する店舗などの物件の情報を有する物件詳細情報ページを１以上有し、これらの中から１つにアクセスするためのページや物件詳細情報ページの作成に必要な情報は十分に提供されておらず、ホームページ作成に手間がかかる。
【０００５】
したがって本発明の目的は、ブラウザ上に表示された画面への情報入力することにより、１以上の並列ページ及び１以上の並列ページから目的のページを探し出すページの作成に必要な情報の提供が可能なホームページ作成システムを提供することである。
【課題を解決するための手段】
【０００６】
本発明に係るホームページ作成システムは、ブラウザ画面を表示する提供者側表示部と、ブラウザ画面を介して入力された情報をネットワークを介して送信する提供者側制御部とを有する提供者側クライアントと、ネットワークを介して情報を受信し、情報に基づいて、物件の情報を有する物件詳細情報ページを１以上と、１以上の物件詳細情報ページのうちの１つにアクセスするための検索条件を入力するための物件検索トップページと、物件検索トップページを介して入力された検索条件に基づいて絞り込まれた物件詳細情報ページに対応する物件を表示する絞り込み該当物件リストページとを作成する制御部と、１以上の物件詳細情報ページと物件検索トップページと絞り込み該当物件リストページをホームページとして公開出来る状態で記録する記録部とを有するサーバーとを備え、ブラウザ画面は、情報のうちで１以上の物件詳細情報ページを作成するための物件作成情報を入力するための物件詳細ページ編集用ページ、情報のうちで物件検索トップページを作成するための検索作成情報を入力するための物件検索トップページ編集用ページ、情報のうちで絞り込み該当物件リストページを作成するためのリスト作成情報を入力するための絞り込み該当物件リスト編集用ページ、１以上の物件詳細情報ページ、物件検索トップページ、及び絞り込み該当物件リストページを有する。
【０００７】
好ましくは、ブラウザ画面は、物件検索トップページにおいて検索する方法を設定する検索機能設定用ページを有する。
【０００８】
また、好ましくは、１以上の物件詳細情報ページ、物件検索トップページ、及び絞り込み該当物件リストページをブラウザ画面として表示可能な閲覧者用表示部を有する閲覧者用クライアントを更に備え、制御部は、閲覧者用クライアントの１以上の物件詳細情報ページのそれぞれへのアクセスに関するアクセス情報を取得し、アクセス情報に基づいて、ブラウザ画面として、アクセスに関するアクセス分析ページを作成する。
【０００９】
さらに好ましくは、物件詳細ページ編集用ページ、物件検索トップページ編集用ページ、絞り込み該当物件リスト編集用ページ、及びアクセス分析ページは、提供者側表示部で表示可能で、閲覧者側表示部で表示不可能となるようにアクセス条件が設定される。
【００１０】
また、好ましくは、アクセス情報は、物件詳細情報ページごとのアクセス件数、アクセス日時、アクセスする閲覧者側クライアントのドメイン、アクセスする前のページのうち、少なくとも１つである。
【００１１】
本発明に係るホームページ作成システムのサーバーは、ブラウザ画面を介して入力された情報をネットワークを介して送信する提供者側クライアントから、ネットワークを介して情報を受信し、情報に基づいて、物件の情報を有する物件詳細情報ページを１以上と、１以上の物件詳細情報ページのうちの１つにアクセスするための検索条件を入力するための物件検索トップページと、物件検索トップページを介して入力された検索条件に基づいて絞り込まれた物件詳細情報ページに対応する物件を表示する絞り込み該当物件リストページとを作成する制御部と、１以上の物件詳細情報ページと物件検索トップページと絞り込み該当物件リストページをホームページとして公開出来る状態で記録する記録部とを備え、ブラウザ画面は、情報のうちで１以上の物件詳細情報ページを作成するための物件作成情報を入力するための物件詳細ページ編集用ページ、情報のうちで物件検索トップページを作成するための検索作成情報を入力するための物件検索トップページ編集用ページ、情報のうちで絞り込み該当物件リストページを作成するためのリスト作成情報を入力するための絞り込み該当物件リスト編集用ページ、１以上の物件詳細情報ページ、物件検索トップページ、及び絞り込み該当物件リストページを有する。
【００１２】
本発明に係るホームページ作成システムは、ブラウザ画面を表示する提供者側表示部と、ブラウザ画面を介して入力された情報をネットワークを介して送信する提供者側制御部とを有する提供者側クライアントと、ネットワークを介して情報を受信し、情報に基づいて、物件の情報を有する物件詳細情報ページを１以上作成する制御部と、１以上の物件詳細情報ページをホームページとして公開出来る状態で記録する記録部とを有するサーバーと、１以上の物件詳細情報ページをブラウザ画面として表示可能な閲覧者用表示部を有する閲覧者用クライアントとを備え、制御部は、閲覧者用クライアントの１以上の物件詳細情報ページのそれぞれへのアクセスに関するアクセス情報を取得し、アクセス情報に基づいて、ブラウザ画面として、アクセスに関するアクセス分析ページを作成する。
【発明の効果】
【００１３】
以上のように本発明によれば、ブラウザ上に表示された画面への情報入力することにより、１以上の並列ページ及び１以上の並列ページから目的のページを探し出すページの作成に必要な情報の提供が可能なホームページ作成システムを提供することができる。
【発明を実施するための最良の形態】
【００１４】
以下、本実施形態におけるホームページ作成システム１の構成について、図を用いて説明する。本実施形態に係るホームページ作成システム１は、提供者側クライアントＡ、閲覧者側クライアントＢ、及びサーバーＣを備える（図１参照）。提供者側クライアントＡは、ネットワークを通してサーバーＣと通信が可能な状態にあり、閲覧者側クライアントＢは、ネットワークを通してサーバーＣ及び提供者側クライアントＡと通信が可能な状態にある。
【００１５】
本実施形態では、閲覧者側クライアントＢが１台であるとして説明するが、それぞれ複数台で構成されてもよい。
【００１６】
提供者側クライアントＡは、ホームページを公開（提供）する企業などの提供者が使用するコンピュータで、提供者側制御部３０Ａ、提供者側入力部４０Ａ、提供者側表示部５０Ａ、及び提供者側記録部６０Ａを有する。提供者側制御部３０Ａは、提供者側クライアントＡの各部を制御する他、サーバーＣとの通信を行う。提供者側入力部４０Ａは、提供者側制御部３０Ａを介してサーバーＣに送るコマンドを入力するキーボードやポインティングデバイスなどの入力装置である。提供者側表示部５０Ａは、サーバーＣの記録部６０Ｃまたは提供者側記録部６０Ａに記録されたブラウザ画面を表示する。
【００１７】
提供者側表示部５０Ａで表示可能なブラウザ画面は、提供者側クライアントＡを使用する提供者のホームページの公開に関連する第１サイト（ファイルの集合）Ｓ１が有するブラウザ画面、及び第１サイトＳ１のうちで物件検索トップページＷ１２以下の階層のページの作成に関する第２サイトＳ２が有するブラウザ画面である。また、インターネットを介して得られる他のサイトが有するブラウザ画面であってもよい。
【００１８】
第１サイトＳ１は、ブラウザ画面として、トップページＷ１１、物件検索トップページＷ１２、絞り込み該当物件リストページＷ１３、第１〜第Ｎ物件詳細情報ページＷ１４１〜Ｗ１４Ｎ（Ｎは１以上の整数）、及び地図＋リストページＷ１５等を有する（図２参照）。
【００１９】
第１〜第Ｎ物件詳細情報ページＷ１４１〜Ｗ１４Ｎは、提供者のホームページで紹介する店舗などの物件それぞれの所在地を含む地図を有する詳細な情報を有するページである。物件検索トップページＷ１２は、第１〜第Ｎ物件詳細情報ページＷ１４１〜Ｗ１４Ｎのいずれかを検索するために検索条件（検索式）を入力するためのページである。絞り込み該当物件リストページＷ１３は、記録部６０Ｃなどにインストールされた検索エンジンが物件検索トップページＷ１２で入力された検索条件に基づいて検索した結果、絞り込まれた物件をリスト表示するページであり、リスト表示された物件のリンクをクリックすることにより、対応する物件の物件詳細情報ページにアクセスされる。地図＋リストページＷ１５は、検索後にアクセスされた物件詳細情報ページから、かかる物件を含む地図と、検索で絞り込まれた物件であって地図に含まれる物件を表示するページである。
【００２０】
第１〜第Ｎ物件詳細情報ページＷ１４１〜Ｗ１４Ｎの各ページへは、絞り込み該当物件リストページＷ１３から、アクセスされるだけでなく、他の検索エンジンなどからアクセスされてもよい。
【００２１】
第２サイトＳ２は、物件検索トップページＷ１２以下の階層ページ作成に必要な情報として使用されるブラウザ画面として、ログインページＷ２１、メニューページＷ２２、検索機能設定用ページＷ２３１、画面デザイン編集用ページＷ２３２、ページ公開設定用ページＷ２３３、物件別アクセス分析ページＷ２３４、月別ランキングページＷ２３５、検索語分析ページＷ２３６、ドメイン別分析ページＷ２３７、アクセス元解析ページＷ２３８、共通項目設定用ページＷ２４１、物件検索トップページ編集用ページＷ２４２、絞り込み該当物件リスト編集用ページＷ２４３、物件詳細ページ編集用ページＷ２４４、及び地図＋リストページ編集用ページＷ２４５等を有する（図３参照）。
【００２２】
提供者側記録部６０Ａは、第１サイトＳ１を構成するブラウザ画面に対応するファイル（ｈｔｍｌファイルなど）のうち、トップページＷ１１等、物件検索トップページＷ１２以下のページを除くページに対応するファイルを記録する。但し、これらのファイルを記録するのは、サーバーＣの記録部６０Ｃであってもよいし、提供者側クライアントＡとネットワークを介して接続可能な他のサーバーの記録部であってもよい。
【００２３】
第１サイトＳ１を構成するブラウザ画面に対応するファイルのうちで、物件検索トップページＷ１２、絞り込み該当物件リストページＷ１３、第１〜第Ｎ物件詳細情報ページＷ１４１〜Ｗ１４Ｎ、及び地図＋リストページＷ１５は、サーバーＣの記録部６０Ｃに記録される。
【００２４】
第２サイトＳ２を構成するブラウザ画面に対応するファイル（ログインページＷ２１、メニューページＷ２２、検索機能設定用ページＷ２３１、画面デザイン編集用ページＷ２３２、ページ公開設定用ページＷ２３３、物件別アクセス分析ページＷ２３４、月別ランキングページＷ２３５、検索語分析ページＷ２３６、ドメイン別分析ページＷ２３７、アクセス元解析ページＷ２３８、共通項目設定用ページＷ２４１、物件検索トップページ編集用ページＷ２４２、絞り込み該当物件リスト編集用ページＷ２４３、物件詳細ページ編集用ページＷ２４４、及び地図＋リストページ編集用ページＷ２４５等に対応するファイル）は、サーバーＣの記録部６０Ｃに記録される。
【００２５】
使用者（提供者）の操作に基づいて、提供者側表示部５０Ａに表示された第２サイトＳ２の各ファイルのコンテンツ情報を入力、設定することにより、第１サイトＳ１の物件検索トップページＷ１２以下の階層ページに対応するファイルが作成される。
【００２６】
閲覧者側クライアントＢは、ホームページを閲覧するユーザーなどの閲覧者が使用するコンピュータで、閲覧者側制御部３０Ｂ、閲覧者側入力部４０Ｂ、及び閲覧者側表示部５０Ａを有する。閲覧者側制御部３０Ｂは、閲覧者側クライアントＢの各部を制御する他、使用者側クライアントＡ、及びサーバーＣとの通信を行う。閲覧者側入力部４０Ｂは、閲覧者側制御部３０Ｂを介してサーバーＣまたは使用者側クライアントＡに送るコマンドを入力するキーボードやポインティングデバイスなどの入力装置である。閲覧者側表示部５０Ｂは、サーバーＣの記録部６０Ｃまたは提供者側記録部６０Ａに記録されたブラウザ画面を表示する。
【００２７】
閲覧者側表示部５０Ｂで表示可能なブラウザ画面は、第１サイトＳ１が有するブラウザ画面である。また、インターネットを介して得られる他のサイトが有するブラウザ画面であってもよい。但し、第２サイトＳ２が有するブラウザ画面は表示できない（閲覧者側クライアントＢが、第２サイトＳ２が有するブラウザ画面を表示する資格を有しない）ようにアクセス条件が設定される。
【００２８】
サーバーＣは、制御部３０Ｃ、及び記録部６０Ｃを有する。制御部３０Ｃは、サーバーＣの各部を制御する他、提供者側クライアントＡ、及び閲覧者側クライアントＢと通信を行う。記録部６０Ｃは、提供者側記録部６０Ａで記録するファイルを除く、提供者側クライアントＡを使って作成された第１、第２サイトＳ１、Ｓ２を構成するページに対応するファイルを記録する。特に、記録部６０Ｃは、第１〜第Ｎ物件詳細情報ページＷ１４１〜Ｗ１４Ｎごとに、それぞれのページに書き込まれた情報を検索で使用される項目（たとえば住所）ごとにデータベース化された状態で記録する。
【００２９】
記録部６０Ｃ（または他の記録装置）には、制御部３０Ｃの制御により、第１〜第Ｎ物件詳細情報ページＷ１４１〜Ｗ１４Ｎを、検索条件（検索式）に基づいて検索を行う検索エンジン（検索プログラム）がインストールされている。提供者側表示部５０Ａに表示された物件検索トップページＷ１２を介して、検索条件が入力されると、検索エンジンによって第１〜第Ｎ物件詳細情報ページＷ１４１〜Ｗ１４Ｎの中から検索条件に合致する物件詳細情報ページが検索される。検索は、記録部６０Ｃに記録されたデータベースから、検索条件に合致する物件に対応する物件詳細情報ページを検索することにより行われる。検索された物件詳細情報ページに対応する物件は、絞り込み該当物件リストページＷ１３上にリスト表示される。
【００３０】
また、制御部３０Ｃは、提供者側表示部５０Ａに表示された第２サイトＳ２を構成する各ページに対して提供者側入力部４０Ａを介して入力された情報に基づいて、第１サイトＳ１を構成する物件検索トップページＷ１２以下の階層のページのレイアウトなどのコンテンツを設定する。
【００３１】
また、制御部３０Ｃは、第１〜第Ｎ物件詳細情報ページＷ１４１〜Ｗ１４Ｎそれぞれのページへのアクセス件数のカウント、アクセスする閲覧者側クライアントＢのドメイン、アクセス元（アクセスする前に閲覧者側表示部５０Ｂで開かれていたページ）の特定など、第１〜第Ｎ物件詳細情報ページＷ１４１〜Ｗ１４Ｎにアクセスした閲覧者側クライアントＢに関する情報を取得し、物件別アクセス分析ページＷ２３４、月別ランキングページＷ２３５、検索後分析ページＷ２３６、ドメイン別分析ページＷ２３７、及びアクセス元解析ページＷ２３８など、アクセス分析に関するページに対応するファイルを作成する。
【００３２】
アクセス分析に関するページは、提供者が、提供者側クライアントＡを介して、第ｎ物件詳細ページＷ１４ｎ（ｎは１以上Ｎ以下の整数）など、第１サイトＳ１を構成する物件検索トップページＷ１２以下の階層のページを作成する際の参考にされる。
【００３３】
次に、第２サイトＳ２を構成するブラウザ画面の詳細について説明する。なお、各画面上で、下線部を引いて記載された部分はリンクが設けられており、かかる部分をクリックすることにより、関係ページにアクセスされて画面表示切り替えなどが行われる。
【００３４】
ログインページＷ２１（不図示）は、ＩＤやパスワードなどを入力するための画面で、以下の階層のページへのアクセスが、ＩＤやパスワードを有する提供者が使用する提供者側クライアントＡに制限される。
【００３５】
メニューページＷ２２（図４参照）は、第１サイトＳ１を構成する物件検索トップページＷ１２以下の階層のページを作成するためのメニューが表示される画面で、“４．サイト作成”欄、及び“５．アクセス分析”欄が有する各リンクをクリックすることにより、各ページを編集するためのページにアクセスされる。
【００３６】
メニューページＷ２２において、“検索機能選択”リンクがクリックされると、物件検索トップページ編集用ページＷ２３１にアクセスされ画面表示が行われる（図５参照）。物件検索トップページ編集用ページＷ２３１は、各項目に対応するチェックマークの設定状況に応じて、第１〜第Ｎ物件詳細情報ページＷ１４１〜Ｗ１４Ｎを検索するために使用される物件検索トップページＷ１２において使用される検索機能（方法）や検索後の画面遷移についての選択が行われる。物件検索トップページ編集用ページＷ２３１は、検索機能および画面遷移を選択する領域を有する。
【００３７】
メニューページＷ２２において、“画面デザイン編集”リンクがクリックされると、画面デザイン編集用ページＷ２３２にアクセスされ画面表示が行われる（図６参照）。画面デザイン編集用ページＷ２３２は、画面内の各リンクをクリックすることにより、第１サイトＳ１を構成する物件検索トップページＷ１２以下の階層のページのレイアウトなど詳細な画面デザインを編集するための各ページにアクセスされ画面表示が行われる。
【００３８】
メニューページＷ２２において、“ページ公開”リンクがクリックされると、ページ公開設定用ページＷ２３３にアクセスされ画面表示が行われる（図７参照）。ページ公開設定用ページＷ２３３は、各項目のチェックマークの設定状況に応じて、第２サイトＳ２を構成する各ページを使って作成した第１サイトＳ１を構成する物件検索トップページＷ１２以下の階層のページを、ブラウザを使って閲覧可能な状態（閲覧者用クライアントＢを介して閲覧可能な状態）にされるか否かを選択するページである。
【００３９】
メニューページＷ２２において、“物件別アクセス分析”リンクがクリックされると、物件別アクセス分析ページＷ２３４にアクセスされ画面表示が行われる（図８参照）。物件別アクセス分析ページＷ２３４は、第ｎ物件詳細情報ページＷ１４ｎにアクセスした件数を時間帯別など設定された条件別に表すページであり、画面上で設定された分析する物件や、分析する時間幅、分析する日時などに対応する情報が表示される。アクセス分析する対象の物件の選択は、左欄の五十音順に並べられた物件名リンクをクリックすることにより行われる。物件別アクセス分析ページＷ２３４は、左欄にアクセス分析対象となる物件を選択する領域を有し、右欄に対象となる物件のアクセス数をグラフなどで示す領域を有する。
【００４０】
メニューページＷ２２において、“月別アクセスランキング”リンクがクリックされると、月別アクセスランキングページＷ２３５にアクセスされ画面表示が行われる（不図示）。月別アクセスランキングページＷ２３５は、第１〜第Ｎ物件詳細情報ページＷ１４１〜Ｗ１４Ｎのアクセス件数を月別に順位付けするページであり、月別の他に日別など時間幅が設定されてもよい。
【００４１】
メニューページＷ２２において、“検索語分析”リンクがクリックされると、検索語分析ページＷ２３６にアクセスされ画面表示が行われる（不図示）。検索語分析ページＷ２３６は、第１〜第Ｎ物件詳細情報ページＷ１４１〜Ｗ１４Ｎにアクセスするために使用された検索語（検索キーワード）を特定し、その種類等を分析した情報を表示するページである。
【００４２】
メニューページＷ２２において、“ドメイン別分析”リンクがクリックされると、ドメイン別分析ページＷ２３７にアクセスされ画面表示が行われる（不図示）。ドメイン別分析ページＷ２３７は、第１〜第Ｎ物件詳細情報ページＷ１４１〜Ｗ１４Ｎにアクセスした閲覧者側クライアントＢのＩＰアドレスなどから特定されるドメインの種類等（例えば、会社、学校など）を分析した情報を表示するページである。
【００４３】
メニューページＷ２２において、“アクセス元解析”リンクがクリックされると、アクセス元解析ページＷ２３８にアクセスされ画面表示が行われる（不図示）。アクセス元解析ページＷ２３８は、第１〜第Ｎ物件詳細情報ページＷ１４１〜Ｗ１４Ｎにアクセスするために経由した（アクセスする前の）ホームページのＵＲＬを特定し、その種類などをまとめた情報を表示するページである。
【００４４】
画面デザイン編集用ページＷ２３２において、“共通項目設定”リンクがクリックされると、共通項目設定用ページＷ２４１にアクセスされ画面表示が行われる（図９参照）。共通項目設定用ページＷ２４１は、物件検索トップページＷ１２、絞り込み該当物件リストページＷ１３、第１〜第Ｎ物件詳細情報ページＷ１４１〜Ｗ１４Ｎ、及び地図＋リストページＷ１５における大まかなレイアウトなど画面仕様の共通項目についての設定を、左欄内の項目に従って行うページである。画面デザイン編集用ページＷ２３２は、左欄に物件検索トップページＷ１２などのおおまかな画面仕様の共通項目を選択する領域を有し、右欄に設定された共通項目に対応した画面仕様のレイアウトを示す領域を有する。
【００４５】
画面デザイン編集用ページＷ２３２において、“検索トップ”リンクがクリックされると、物件検索トップページ編集用ページＷ２４２にアクセスされ画面表示が行われる（図１０参照）。物件検索トップページ編集用ページＷ２４２は、物件検索トップページＷ１２について詳細な画面レイアウトなどの画面仕様の設定を、左欄内の項目に従って行うページである。物件検索トップページＷ１２における検索機能などは、物件検索トップページ編集用ページＷ２３１にて事前に設定され、大まかなレイアウトは、共通項目設定用ページＷ２４１にて事前に設定される。物件検索トップページ編集用ページＷ２４２は、左欄に物件検索トップページＷ１２の画面仕様を設定する領域を有し、右欄に物件検索トップページＷ１２を示す領域を有する。
【００４６】
画面デザイン編集用ページＷ２３２において、“該当物件一覧”リンクがクリックされると、絞り込み該当物件リスト編集用ページＷ２４３にアクセスされ画面表示が行われる（図１１参照）。絞り込み該当物件リスト編集用ページＷ２４３は、物件検索トップページＷ１２で設定された検索条件に基づいて絞り込みされた検索結果をリスト表示する絞り込み該当物件リストページＷ１３について詳細な画面レイアウトなどの画面仕様の設定を、左欄内の項目に従って行うページである。絞り込み該当物件リストページＷ１３の大まかなレイアウトは、共通項目設定用ページＷ２４１にて事前に設定される。絞り込み該当物件リスト編集用ページＷ２４３は、左欄に、絞り込み該当物件リストページＷ１３の画面仕様を設定する領域を有し、右欄に絞り込み該当物件リストページＷ１３を示す領域を有する。
【００４７】
画面デザイン編集用ページＷ２３２において、“物件詳細”リンクがクリックされると、物件詳細ページ編集用ページＷ２４４にアクセスされ画面表示が行われる（図１２参照）。物件詳細ページ編集用ページＷ２４４は、絞り込み該当物件リストページＷ１３においてリスト表示された物件のいずれかついて詳細な情報である物件詳細ページ（例えば第ｎ物件詳細ページＷ１４ｎ）について詳細な画面レイアウトなどの画面仕様の設定を、左欄内の項目に従って行うページであり、左欄に物件詳細ページの画面仕様を設定する領域を有し、右欄に物件詳細ページ（例えば第ｎ物件詳細ページＷ１４ｎ）を示す領域を有する。第１〜第Ｎ物件詳細ページＷ１４１〜Ｗ１４ｎの大まかなレイアウトは、共通項目設定用ページＷ２４１にて事前に設定される。
【００４８】
画面デザイン編集用ページＷ２３２において、“地図＋リスト”リンクがクリックされると、地図＋リストページ編集用ページＷ２４５にアクセスされ画面表示が行われる（図１３参照）。物件詳細ページ編集用ページＷ２４４は、絞り込み該当物件リストページＷ１３においてリスト表示された物件のいずれかついて詳細な情報である物件詳細ページ（例えば第ｎ物件詳細ページＷ１４ｎ）の表示の後、周囲の地図と周囲の地図内に該当する物件（図１３の例では２件）とさらに絞り込み検索を行うための地図＋リストページＷ１５について詳細な画面レイアウトなどの画面仕様の設定を、左欄内の項目に従って行うページである。地図＋リストページＷ１５の大まかなレイアウトは、共通項目設定用ページＷ２４１にて事前に設定される。地図＋リストページ編集用ページＷ２４５は、左欄に地図＋リストページＷ１５の画面仕様を設定する領域を有し、右欄に地図＋リストページＷ１５を示す領域を有する。
【００４９】
従来のホームページ作成システムでは、提供者側クライアントＡに予めインストールされたホームページ作成ソフトウエア、またはサーバーＣからのブラウザ画面を使って、提供者側クライアントＡを介して設定された内容に対応したデザインでホームページを作成することができる。しかしながら、検索結果をリスト表示する場合など、検索結果次第でデザイン（表示領域）が変化する動的なホームページ作成は出来ない。
【００５０】
本実施形態では、第１〜第Ｎ物件詳細情報ページＷ１４１〜Ｗ１４Ｎは、データベース化されて記録部６０Ｃに記録されているため、検索エンジンを使って検索を行う前に、データベースの内容は確定している。そのため、事前（実際に検索エンジンを使って検索を行う前）に、検索条件に対応した検索結果の範囲が決定されるため、検索結果次第で表示領域が変化する動的なホームページの作成も可能となる。
【００５１】
その結果、本実施形態では、ホームページ作成を、ホームページを提供する提供者のクライアント（提供者側クライアントＡ）を介して、物件検索トップページ編集用ページＷ２３１などで必要項目を入力することによって、１以上の並列ページ（第１〜第Ｎ物件詳細情報ページＷ１４１〜Ｗ１４Ｎ）から目的の第ｎ物件詳細情報ページＷ１４ｎを探し出す検索ページを含むホームページを作成することが可能になる。
【００５２】
また、提供者側クライアントＡを介して作成されたホームページにある以上の並列ページ（第１〜第Ｎ物件詳細情報ページＷ１４１〜Ｗ１４Ｎ）それぞれのアクセス状況を制御部３０Ｃが把握することにより、提供者側表示部５０Ａは並列ページそれぞれのアクセス状況をアクセス分析として表示する。表示されたアクセス分析を参考にして、提供者は、提供者側クライアントＡを介して、さらに並列ページなどの作成を行うことができる。
【図面の簡単な説明】
【００５３】
【図１】本実施形態におけるホームページ作成システムの構成図である。
【図２】第１サイトを構成するページを示すツリー図である。
【図３】第２サイトを構成するページを示すツリー図である。
【図４】メニューページの構成を示す図である。
【図５】物件検索トップページ編集用ページの構成を示す図である。
【図６】画面デザイン編集用ページの構成を示す図である。
【図７】ページ公開設定用ページの構成を示す図である。
【図８】物件別アクセス分析ページの構成を示す図である。
【図９】共通項目設定用ページの構成を示す図である。
【図１０】物件検索トップページ編集用ページの構成を示す図である。
【図１１】絞り込み該当物件リスト編集用ページの構成を示す図である。
【図１２】物件詳細ページ編集用ページの構成を示す図である。
【図１３】地図＋リストページ編集用ページの構成を示す図である。
【符号の説明】
【００５４】
１  ホームページ作成システム
３０Ａ  提供者側制御部
３０Ｂ  閲覧者側制御部
３０Ｃ  制御部
４０Ａ  提供者側入力部
４０Ｂ  閲覧者側入力部
５０Ａ  提供者側表示部
５０Ｂ  閲覧者側表示部
６０Ａ  提供者側記録部
６０Ｃ  記録部
Ａ  提供者側クライアント
Ｂ  閲覧者側クライアント
Ｃ  サーバー
Ｓ１、Ｓ２  第１、第２サイト
Ｗ１１  トップページ
Ｗ１２  物件検索トップページ
Ｗ１３  絞り込み該当物件リストページ
Ｗ１４１〜Ｗ１４Ｎ  第１〜第Ｎ物件詳細情報ページ
Ｗ１５  地図＋リストページ
Ｗ２１  ログインページ
Ｗ２２  メニューページ
Ｗ２３１  検索機能設定用ページ
Ｗ２３２  画面デザイン編集用ページ
Ｗ２３３  ページ公開設定用ページ
Ｗ２３４  物件別アクセス分析ページ
Ｗ２３５  月別ランキングページ
Ｗ２３６  検索語分析ページ
Ｗ２３７  ドメイン別分析ページ
Ｗ２３８  アクセス元解析ページ
Ｗ２４１  共通項目設定用ページ
Ｗ２４２  物件検索トップページ編集用ページ
Ｗ２４３  絞り込み該当物件リスト編集用ページ
Ｗ２４４  物件詳細ページ編集用ページ
Ｗ２４５  地図＋リストページ編集用ページ
【図１】
2008165313.tif 000003
【図２】
2008165313.tif 000004
【図３】
2008165313.tif 000005
【図４】
2008165313.tif 000006
【図５】
2008165313.tif 000007
【図６】
2008165313.tif 000008
【図７】
2008165313.tif 000009
【図８】
2008165313.tif 000010
【図９】
2008165313.tif 000011
【図１０】
2008165313.tif 000012
【図１１】
2008165313.tif 000013
【図１２】
2008165313.tif 000014
【図１３】
2008165313.tif 000015